(57)【要約】【課題】動態撮影された大量の画像の中から診断を行うのに重要な画像の絞り込みを行う際の操作性を向上させ、効率的な読影を可能とする画像表示装置、画像表示方法及び画像表示プログラムを提供する。【解決手段】放射線撮影により得られた医用画像を取得する画像取得部としての入出力インターフェース１４と、医用画像を表示する表示部としての表示手段１５のモニター１５０を制御する表示制御部（制御手段１１）と、モニター１５０で表示しようとする医用画像に、対象部位の動態を時間軸に沿って連続的に放射線撮影して得られた動態撮影画像が含まれるか否かを判断する判断制御部（制御手段１１）とを備え、表示制御部（制御手段１１）は、判断制御部（制御手段１１）によって動態撮影画像が含まれると判断された場合に、モニター１５０に動態撮影画像を自動的に動画再生させる。【選択図】図２
2020089611.tif 000002
【特許請求の範囲】
【請求項１】
放射線撮影により得られた医用画像を取得する画像取得部と、
前記医用画像を表示する表示部を制御する表示制御部と、
前記表示部で表示しようとする前記医用画像に、対象部位の動態を時間軸に沿って連続的に前記放射線撮影して得られた動態撮影画像が含まれるか否かを判断する判断制御部と、
を備え、
前記表示制御部は、前記判断制御部によって前記動態撮影画像が含まれると判断された場合に、前記表示部上に前記動態撮影画像を自動的に動画再生処理させることを特徴とする画像表示装置。
【請求項２】
対象部位の動態を時間軸に沿って連続的に放射線撮影して得られた動態撮影画像を取得する画像取得部と、
前記画像取得部によって取得された前記動態撮影画像について再生範囲を指定する再生範囲指定部と、
前記再生範囲指定部によって指定された再生範囲で前記動態撮影画像を再生し表示させるように表示部を制御する表示制御部と、
を備えることを特徴とする画像表示装置。
【請求項３】
前記画像取得部は、放射線撮影により得られた医用画像を取得可能であり、
前記画像取得部によって取得された前記医用画像に、前記動態撮影画像が含まれるか否かを判断する判断制御部をさらに備え、
前記再生範囲指定部は、前記判断制御部によって前記動態撮影画像が含まれると判断された場合に、前記動態撮影画像について再生範囲を指定可能であることを特徴とする請求項２に記載の画像表示装置。
【請求項４】
前記動態撮影画像は、周期性を持つ対象部位の動態を時間軸に沿って連続的に放射線撮影して得られたものであることを特徴とする請求項１から請求項３のいずれか一項に記載の画像表示装置。
【請求項５】
前記再生範囲指定部は、前記表示部に表示された画像自体を指定するもの、画像に対応するスクロールバーにおいて指定するもの、画像に対応するグラフにおいて指定するもの、画像に対応する数値を入力又は選択するもの、のうちのいずれかを含んでいることを特徴とする請求項２から請求項４のいずれか一項に記載の画像表示装置。
【請求項６】
前記表示制御部は、前記表示部において前記動態撮影画像の再生が開始された後、中断動作が行われた場合に、前記動態撮影画像の再生を中断させることを特徴とする請求項２から請求項５のいずれか一項に記載の画像表示装置。
【請求項７】
前記対象部位は横隔膜を含む人の肺野であり、
前記再生範囲指定部は、吸気期間及び呼気期間からなる人の１呼吸分の期間に対応する前記動態撮影画像を前記再生範囲として指定することを特徴とする請求項２から請求項６のいずれか一項に記載の画像表示装置。
【請求項８】
前記対象部位は横隔膜を含む人の肺野であり、
前記再生範囲指定部は、吸気期間又は呼気期間からなる人の半呼吸分の期間に対応する前記動態撮影画像を前記再生範囲として指定することを特徴とする請求項２から請求項６のいずれか一項に記載の画像表示装置。
【請求項９】
前記表示部が画像に対応するスクロールバーを備える場合に、
前記スクロールバーは、前記動態撮影画像の再生位置に対応して色分け表示されることを特徴とする請求項２から請求項８のいずれか一項に記載の画像表示装置。
【請求項１０】
前記動態撮影画像が周期性を持つ対象部位の動態を時間軸に沿って連続的に放射線撮影して得られたものである場合に、
前記スクロールバーは、周期に対応して色分け表示されることを特徴とする請求項９に記載の画像表示装置。
【請求項１１】
前記動態撮影画像が人の呼吸を示す動態を時間軸に沿って連続的に放射線撮影して得られたものである場合に、
前記スクロールバーは、吸気期間及び呼気期間からなる１呼吸分の期間ごとに色分け表示されることを特徴とする請求項９又は請求項１０に記載の画像表示装置。
【請求項１２】
前記動態撮影画像が人の呼吸を示す動態を時間軸に沿って連続的に放射線撮影して得られたものである場合に、
前記スクロールバーは、吸気期間又は呼気期間からなる半呼吸分の期間ごとに色分け表示されることを特徴とする請求項９又は請求項１０に記載の画像表示装置。
【請求項１３】
前記スクロールバーにおける前記色分け表示は、単一色の濃淡又は明暗の少なくともいずれかで表現されることを特徴とする請求項９から請求項１２のいずれか一項に記載の画像表示装置。
【請求項１４】
放射線撮影により得られた医用画像を取得する画像取得工程と、
前記医用画像を表示する表示工程と、
前記画像取得工程において取得された前記医用画像に、対象部位の動態を時間軸に沿って連続的に前記放射線撮影して得られた動態撮影画像が含まれるか否かを判断する判断工程と、
を含み、
前記表示工程では、前記判断工程において前記動態撮影画像が含まれると判断された場合に、前記動態撮影画像を自動的に動画再生することを特徴とする画像表示方法。
【請求項１５】
対象部位の動態を時間軸に沿って連続的に放射線撮影して得られた動態撮影画像を取得する画像取得工程と、
前記画像取得工程において取得された前記動態撮影画像について再生範囲を指定する再生範囲指定工程と、
前記再生範囲指定工程において指定された前記再生範囲で前記動態撮影画像を再生し表示させる表示工程と、
を含むことを特徴とする画像表示方法。
【請求項１６】
前記画像取得工程では、前記放射線撮影により得られた医用画像を取得可能であり、
前記画像取得工程において取得された前記医用画像に、前記動態撮影画像が含まれるか否かを判断する判断工程をさらに備え、
前記再生範囲指定工程では、前記判断工程において前記動態撮影画像が含まれると判断された場合に、前記動態撮影画像について再生範囲を指定可能であることを特徴とする請求項１５に記載の画像表示方法。
【請求項１７】
画像表示装置のコンピューターに、
放射線撮影により得られた医用画像を取得する画像取得機能と、
前記画像取得機能によって取得された前記医用画像に、対象部位の動態を時間軸に沿って連続的に前記放射線撮影して得られた動態撮影画像が含まれるか否かを判断する判断機能と、
前記判断機能によって前記動態撮影画像が含まれると判断された場合に、前記動態撮影画像を自動的に動画再生する表示機能と、
を実現させることを特徴とする画像表示プログラム。
【請求項１８】
画像表示装置のコンピューターに、
対象部位の動態を時間軸に沿って連続的に放射線撮影して得られた動態撮影画像を取得する画像取得機能と、
前記画像取得機能によって取得された前記動態撮影画像について再生範囲を指定する再生範囲指定機能と、
前記再生範囲指定機能によって指定された前記再生範囲で前記動態撮影画像を再生し表示させる表示機能と、
を実現させることを特徴とする画像表示プログラム。
【請求項１９】
前記画像取得機能は、前記放射線撮影により得られた医用画像を取得可能なものであり、
画像表示装置のコンピューターに、
前記画像取得機能によって取得された前記医用画像に、前記動態撮影画像が含まれるか否かを判断する判断機能をさらに実現させ、
前記再生範囲指定機能は、前記判断機能によって前記動態撮影画像が含まれると判断された場合に、前記動態撮影画像について再生範囲を指定するものであることを特徴とする請求項１８に記載の画像表示プログラム。
【発明の詳細な説明】
【技術分野】
【０００１】
本発明は、画像表示装置、画像表示方法及び画像表示プログラムに関するものである。
【背景技術】
【０００２】
従来のフィルム／スクリーンや輝尽性蛍光体プレートを用いた放射線（Ｘ線）の静止画撮影及び診断に対し、近時、ＦＰＤ（flat panel detector）等の半導体イメージセンサーを利用して診断対象の部位（以下、対象部位という。）を動態撮影して、診断に応用する試みがなされるようになってきている。
【０００３】
具体的には、半導体イメージセンサーの画像データの読取・消去の応答性の早さを利用し、半導体イメージセンサーの読取・消去のタイミングと合わせて放射源からパルス状の放射線を連続的に照射し、１秒間に複数回の撮影を行って、対象部位の動態を撮影する。動態撮影により取得された一連の複数枚のフレーム画像を画面上に順次表示することによって医師は対象部位の一連の動きを観察することが可能となる。
【０００４】
そして、例えば対象部位が肺や心臓である場合には、医師は、画面上に再生された肺や心臓が動いている様子、すなわち肺や心臓を動態撮影した各フレーム画像を見て、肺の機能（換気機能や肺血流機能等）が低下している個所や心臓の心拍が異常な個所がないか等を観察して診断することが可能となる（例えば、特許文献１参照）。
【先行技術文献】
【特許文献】
【０００５】
【特許文献１】特開２０１７−２２５４７５号公報
【発明の概要】
【発明が解決しようとする課題】
【０００６】
しかしながら、動態撮影では、通常１回の撮影で１呼吸分〜数呼吸分の画像が取得され、画像枚数は数十枚〜数百枚に及ぶ。このため、撮影された全てのフレーム画像を、診断を行うための画像確認として動画再生すると、診断結果を得るまでに多くの時間を要してしまうという問題がある。
迅速かつ適切な診断を行うためには、大量の画像の中から診断を行うのに重要な画像を簡易に絞り込み、効率よく表示させることが必要となる。
この点、特許文献１は、動きに周期性のある対象部位を動画撮影した場合に、動きの周期がずれた状態で動画再生されることを防止してユーザーが違和感を覚えたり、診断を誤ったりすることがないようにする技術である。他方で、大量の画像の中から診断を行うのに重要な画像を絞り込み、ユーザーの診断効率を向上させるための操作性については配慮されていなかった。
【０００７】
本発明は、上記の問題点を鑑みてなされたものであり、動態撮影された大量の画像の中から診断を行うのに重要な画像の絞り込みを行う際の操作性を向上させ、効率的な読影を可能とする画像表示装置、画像表示方法及び画像表示プログラムを提供することを目的とする。
【課題を解決するための手段】
【０００８】
前記の問題を解決するために、本発明の画像表示装置は、
放射線撮影により得られた医用画像を取得する画像取得部と、
前記医用画像を表示する表示部を制御する表示制御部と、
前記表示部で表示しようとする前記医用画像に、対象部位の動態を時間軸に沿って連続的に前記放射線撮影して得られた動態撮影画像が含まれるか否かを判断する判断制御部と、
を備え、
前記表示制御部は、前記判断制御部によって前記動態撮影画像が含まれると判断された場合に、前記表示部上に前記動態撮影画像を自動的に動画再生処理させることを特徴とする。
【０００９】
また、本発明の別の側面である画像表示装置は、
対象部位の動態を時間軸に沿って連続的に放射線撮影して得られた動態撮影画像を取得する画像取得部と、
前記画像取得部によって取得された前記動態撮影画像について再生範囲を指定する再生範囲指定部と、
前記再生範囲指定部によって指定された再生範囲で前記動態撮影画像を再生し表示させるように表示部を制御する表示制御部と、
を備えることを特徴とする。
【００１０】
また、本発明の別の側面である画像表示方法は、
放射線撮影により得られた医用画像を取得する画像取得工程と、
前記医用画像を表示する表示工程と、
前記画像取得工程において取得された前記医用画像に、対象部位の動態を時間軸に沿って連続的に前記放射線撮影して得られた動態撮影画像が含まれるか否かを判断する判断工程と、
を含み、
前記表示工程では、前記判断工程において前記動態撮影画像が含まれると判断された場合に、前記動態撮影画像を自動的に動画再生することを特徴とする。
【００１１】
また、本発明の別の側面である画像表示方法は、
対象部位の動態を時間軸に沿って連続的に放射線撮影して得られた動態撮影画像を取得する画像取得工程と、
前記画像取得工程において取得された前記動態撮影画像について再生範囲を指定する再生範囲指定工程と、
前記再生範囲指定工程において指定された前記再生範囲で前記動態撮影画像を再生し表示させる表示工程と、
を含むことを特徴とする。
【００１２】
また、本発明の別の側面である画像表示プログラムは、
画像表示装置のコンピューターに、
放射線撮影により得られた医用画像を取得する画像取得機能と、
前記画像取得機能によって取得された前記医用画像に、対象部位の動態を時間軸に沿って連続的に前記放射線撮影して得られた動態撮影画像が含まれるか否かを判断する判断機能と、
前記判断機能によって前記動態撮影画像が含まれると判断された場合に、前記動態撮影画像を自動的に動画再生する表示機能と、
を実現させることを特徴とする。
【００１３】
また、本発明の別の側面である画像表示プログラムは、
画像表示装置のコンピューターに、
対象部位の動態を時間軸に沿って連続的に放射線撮影して得られた動態撮影画像を取得する画像取得機能と、
前記画像取得機能によって取得された前記動態撮影画像について再生範囲を指定する再生範囲指定機能と、
前記再生範囲指定機能によって指定された前記再生範囲で前記動態撮影画像を再生し表示させる表示機能と、
を実現させることを特徴とする。
【発明の効果】
【００１４】
本発明によれば、動態撮影された大量の画像の中から診断を行うのに重要な画像の絞り込みを行う際の操作性を向上させ、効率的な読影を行うことができる。
【図面の簡単な説明】
【００１５】
【図１】本実施形態に係る画像表示装置を含む医用画像システムを表す要部構成図である。
【図２】本実施形態に係る画像表示装置の要部ブロック図である。
【図３】表示部の表示画面の一例を示す図である。
【図４】表示部の表示画面の画像自体において１点で再生範囲を選択する場合の一画面例を示す図である。
【図５】表示部の表示画面のスクロールバーにおいて１点で再生範囲を選択する場合の一画面例を示す図である。
【図６】表示部に表示された画像に対応するグラフにおいて１点で再生範囲を選択する場合の一画面例を示す図である。
【図７】表示部の表示画面において２点で再生範囲を選択する場合の最初のフレーム画像を指定する一画面例を示す図である。
【図８】表示部の表示画面において２点で再生範囲を選択する場合の最後のフレーム画像を指定する一画面例を示す図である。
【図９】表示部に表示された画像に対応するグラフにおいて２点で再生範囲を選択する場合の一画面例を示す図である。
【図１０】表示部の再生範囲設定画面において２点で再生範囲を選択する場合の一画面例を示す図である。
【図１１】本実施形態に係る画像表示装置による処理を示すフローチャートである。
【図１２】本実施形態に係る画像表示装置による処理を示すフローチャートである。
【発明を実施するための形態】
【００１６】
以下、本発明に係る画像表示装置（画像表示システム）の一実施形態について、図面を参照して説明する。
なお、以下では、後述する画像解析や表示制御、再生範囲の設定等を行う制御手段１１や記憶手段１２、表示手段１５（図２参照）等が１つの装置（画像表示装置）内に構成されている場合について説明するが、以下における「画像表示装置」は、「画像表示システム」に置き換えて構成することが可能である。すなわち、図示は省略するが、例えば、画像解析を行う機能部、再生範囲の設定を行う機能部、記憶手段、表示手段の一部又は全部をそれぞれ別体の装置として構成し、それらをネットワークで接続する等によりシステム化して（すなわち画像表示システムとして）構成することも可能である。
また、以下に述べる実施形態には、本発明を実施するために技術的に好ましい種々の限定が付されているが、本発明の技術的範囲を以下の実施形態および図示例に限定するものではない。
【００１７】
［画像表示装置（画像表示システム）の位置づけ］
本実施形態の画像表示装置は、医用画像システムにおいて放射線動態画像（以下「動態撮影画像」とする。）等の医用画像を取得し、取得した動態撮影画像等の医用画像や各種の情報を表示するものである。
まず、前提として、本実施形態で想定される医用画像システムと画像表示装置との関係につき、図１を参照しつつ説明する。
【００１８】
〔医用画像システムの構成〕
図１に、医用画像システム１００のシステム構成例を示す。
医用画像システム１００は、病院等の医療施設内に設置されるシステムである。
図１に示すように、医用画像システム１００は、画像表示装置（医用画像表示装置）１、医用画像撮影装置２、画像管理サーバー３等を備えて構成されている。各装置は、ＬＡＮ（Local Area Network）やＷＡＮ（Wide Area Network）等の通信回線からなる通信ネットワークＮを介してデータ送受信可能に接続されている。医用画像システム１００を構成する各装置は、ＤＩＣＯＭ（Digital Image and Communications in Medicine）規格に準じており、各装置間の通信は、ＤＩＣＯＭ規格に則って行われる。
なお、各装置の台数は、特に限定されない。例えば、医用画像撮影装置２としてＣＴ（Computed Tomography）装置、ＭＲＩ（Magnetic Resonance Imaging）装置、ＣＲ（Computed Radiography）装置等の各種モダリティが設けられていてもよい。各種モダリティは、いずれか１種類が複数台用意されていてもよいし、複数種類が各１台ずつ用意されていてもよく、台数及び組み合わせ等は施設の必要等に応じて適宜決められる。
【００１９】
画像管理サーバー３は、各種モダリティ（医用画像撮影装置２）により生成された医用画像の画像データ、及び医用画像に関する付帯情報を蓄積記憶・管理するコンピューター装置である。医用画像には、例えばＣＴ装置やＭＲＩ装置等により生成された断層画像や、ＣＲ装置により生成された単純Ｘ線画像等が含まれている。また、本実施形態では、医用画像として、医用画像撮影装置２によって動態撮影が行われた場合に取得される動態撮影画像が含まれている。
【００２０】
ここで、「動態撮影」とは、対象部位の動態を時間軸に沿って連続的に放射線撮影するものである。具体的には、図示しない放射源から放射線をパルス状にして所定時間間隔で繰り返し照射するか（パルス照射）、もしくは、低線量率にして途切れなく継続して照射（連続照射）して、連続して複数回の撮影を行い、対象部位の動態を動画のように撮影する。
「動態撮影画像」とは、このような撮影により得られた、対象部位の動態を示す複数の一連の画像を意味する。
例えば１人の患者の同一部位について行われた１回の検査内で撮影された医用画像等、互いに関連する一連の医用画像のまとまりを「シリーズ」と呼ぶが、「動態撮影」によって得られた「動態撮影画像」の場合には、一連の連続した「動態撮影」により得られた複数の画像のまとまりを「シリーズ」と呼ぶ。
また、「動態撮影画像」を構成する複数の画像のそれぞれを「フレーム画像」と呼び（図３等においてフレーム画像ＦＩ）、１つの「シリーズ」を構成する各「フレーム画像」にはそれぞれ撮影順に「フレーム番号」が付与される。
本実施形態において「動態撮影」は、例えば肺野、横隔膜、心臓等、動きに周期性のある対象部位に対して行われる。なお、「動態撮影」の対象となる部位は、これらに限定されない。
【００２１】
画像管理サーバー３は、ハードディスク等により構成される医用画像ＤＢ（Data Base）３１を有する。この医用画像ＤＢ３１には、医用画像のデータや当該医用画像に関する付帯情報が記憶されている。
医用画像ＤＢ３１において記憶される医用画像は、ＤＩＣＯＭ規格に則ったＤＩＣＯＭファイル形式で保存されている。ＤＩＣＯＭファイルは、画像部とヘッダ部とから構成される。画像部には医用画像の実データ、ヘッダ部に当該医用画像に関する付帯情報が書き込まれている。
【００２２】
付帯情報は、例えば、患者情報、検査情報、シリーズ情報、画像詳細情報を含んで構成されている。
患者情報は、患者を識別するための患者識別情報（例えば、患者ＩＤ）、患者の氏名、性別、生年月日等の医用画像の患者に関する各種情報を含んでいる。
検査情報は、検査を識別するための検査識別情報（例えば、検査ＩＤ）、検査日付、担当医師等の検査に関する各種情報を含んでいる。
画像詳細情報は、画像生成時刻、医用画像の格納場所を示すファイルパス名、検査コメント、病変の計測位置、計測結果等の画像に関する各種情報が含まれる。
シリーズ情報は、同一検査内においてシリーズを識別するためのシリーズ番号、シリーズに含まれる医用画像を生成したモダリティ（医用画像撮影装置２）の種類、検査部位、当該医用画像が動態撮影画像である場合における総フレーム数、シリーズ内の各画像に付与されたフレーム番号等のシリーズに関する各種情報を含んでいる。
前述のように、フレーム番号は、同一シリーズとして生成した医用画像（動態撮影画像の各フレーム画像ＦＩ）の撮影順１〜ｎ（ｎは総フレーム数）を示す番号である。
【００２３】
画像管理サーバー３は、通信ネットワークＮを介して画像表示装置１からの取得要求があると、これに応じて、医用画像のデータを医用画像ＤＢ３１から読み出して画像表示装置１に送信する。
【００２４】
［画像表示装置（画像表示システム）の構成］
本実施形態における画像表示装置１（または画像表示システム。以下同じ。）の構成について説明する。
図２は、本実施形態における画像表示装置の構成を表すブロック図である。
本実施形態において、画像表示装置１は、図２に示すように、制御手段１１、記憶手段１２、入力手段１３、入出力インターフェース１４、表示手段１５等がバスに接続されたコンピューターで構成されている。
画像表示装置１は、入出力インターフェース１４を介して通信ネットワークＮに接続されている。
本実施形態において入出力インターフェース１４は、放射線撮影により得られた医用画像を、通信ネットワークＮを介して取得する画像取得部である。
画像取得部である入出力インターフェース１４は、対象部位の動態を時間軸に沿って連続的に放射線撮影して得られた動態撮影画像を、画像管理サーバー３（画像管理サーバー３が有する医用画像ＤＢ３１）から取得する。
【００２５】
なお、画像表示装置１は、汎用コンピューターであってもよいが、医用画像に関する専用の装置として構成することも可能である。
また、図示を省略するが、画像表示装置１が、医用画像撮影装置２による撮影を制御するコンソール等の制御装置や、撮影された複数枚のフレーム画像ＦＩ等の医用画像を保存する画像保存用のデータベース等を含む一体型の装置として構成されていてもよい。
画像表示装置１は、デスクトップ型のパーソナルコンピュータでもよいし、ノートパソコンやタブレット型の端末装置、スマートフォン等の携帯端末装置のいずれであってもよい。
【００２６】
制御手段１１は、ＣＰＵ（Central Processing Unit）１１０、ＲＯＭ（Read Only Memory）１１１、ＲＡＭ（Random Access Memory）１１２等を備えている。
ＲＯＭ１１１は、ＣＰＵ１１０で実行されるシステムプログラムや、画像を表示させるためのプログラムである表示制御処理プログラム（画像表示プログラム）を始めとする各種プログラム、これらのプログラムの実行に必要なデータを記憶する。各種プログラムは、コンピューター読み取り可能なプログラムコードの形態でＲＯＭ１１１に格納され、ＣＰＵ１１０は、当該プログラムコードに従った動作を逐次実行する。
ＲＡＭ１１２は、ＣＰＵ１１０により実行制御される各種処理において、ＲＯＭ１１１から読み出された各種プログラム、入力若しくは出力データ、及びパラメーター等を一時的に格納するワークエリアを形成する。
【００２７】
本実施形態において制御手段１１は、医用画像を表示する表示部である表示手段１５（モニター１５０）を制御する表示制御手段として機能する。
表示制御手段としての制御手段１１は、判断制御部としての制御手段１１によって動態撮影画像が含まれると判断された場合に、表示部（すなわち、表示手段１５のモニター１５０）上に動態撮影画像を自動的に動画再生処理させる。
また、後述の表示手段１５（モニター１５０）で表示しようとする医用画像に、対象部位の動態を時間軸に沿って連続的に放射線撮影して得られた動態撮影画像が含まれるか否かを判断する判断制御部として機能する。
判断制御部としての制御手段１１が表示手段１５で表示しようとする医用画像に動態撮影画像が含まれるか否かを判断する手法としては、例えば、ユーザーが指定した検査の医用画像の付帯情報を参照することである。医用画像の付帯情報から連続して所定枚数以上の画像が撮影されていると判断される場合、判断制御部としての制御手段１１は、当該画像群を動態撮影画像であると判断する。この場合の所定枚数は適宜設定されるが、例えば５０枚以上等である。
なお、判断制御部としての制御手段１１が表示手段１５で表示しようとする医用画像に動態撮影画像が含まれるか否かを判断する手法はこれに限定されず、どのような手法でもよい。例えば、ＤＩＣＯＭファイルにおけるヘッダ部に当該画像が動態撮影画像であることを示す識別情報等の付帯情報が付されているような場合には、判断制御部としての制御手段１１は、当該付帯情報を有する画像群を動態撮影画像であると判断する。
【００２８】
また本実施形態では、制御手段１１は、動きに周期性のある対象部位を動態撮影して得られた動態撮影画像を構成する複数枚の各フレーム画像ＦＩに対して画像解析を行い、動きの周期を割り出すようになっている。
例えば、動きに周期性のある対象部位が人の肺野であり、肺野における１呼吸分の期間を１周期とする場合、制御手段１１は適宜画像解析等を行うことによって、呼吸に伴い上下動する横隔膜の少なくとも上限位置、下限位置を検出し、横隔膜が上限位置にある画像及下限位置にある画像を特定することで、対象部位の動態の周期の開始時点に対応する画像と終了時点に対応する画像とを特定する。
【００２９】
具体的には、制御手段１１は、画像解析を行うことで画像に含まれる横隔膜の位置を検出する。横隔膜が上限位置にある画像は、息を吐き切った呼気期間の終了時点の状態を示し、ここから吸気期間に移行して息を吸うにしたがい徐々に横隔膜が下がっていく。そして、横隔膜が下限位置にある画像は、限界まで息を吸った吸気期間の終了時点の状態を示す。したがって、制御手段１１は、横隔膜が上限位置にある画像から横隔膜が下限位置にある画像までが吸気期間に対応する画像であり、逆に横隔膜が下限位置にある画像から横隔膜が上限位置にある画像までが呼気期間に対応する画像と判断する。また、制御手段１１は、吸気期間に対応する画像と呼気期間に対応する画像が連続する１セットを１呼吸分の期間に対応する画像と判断する。
この場合の「１呼吸分の期間」は、吸気期間から始まる吸気期間と呼気期間の１セットでもよいし、呼気期間から始まる呼気期間と吸気期間の１セットでもよい。
なお、制御手段１１が対象部位の動きの周期を割り出す手法、動態の周期の開始時点に対応する画像と終了時点に対応する画像とを特定する手法は特に限定されない。例えば国際公開第２００９／０９０８９４号や特開２００９−２７３６７１号公報、特開２００９−１５３６７８号公報に記載された手法等、各種の手法を採用することができる。
【００３０】
記憶手段１２は、例えば不揮発性の半導体メモリーやＨＤＤ（Hard Disk Drive）等で構成され、各種データ等を記憶するものである。
記憶手段１２は、例えば画像取得部である入出力インターフェース１４によって取得された医用画像を保存する。
入力手段１３は、例えばキーボードやマウス、タッチパネル等で構成されている。タッチパネルは、後述する表示手段１５のモニター１５０上に一体的に形成される。
本実施形態において入力手段１３は、画像取得部である入出力インターフェース１４によって動態撮影画像が取得された場合に、再生範囲を指定する再生範囲指定部として機能する。
再生範囲指定部である入力手段１３は、判断制御部として機能する制御手段１１が、画像取得部である入出力インターフェース１４により取得された医用画像に動態撮影画像が含まれると判断した場合に、ユーザーの操作に基づき、動態撮影画像について再生範囲を指定可能となっている。
なお、再生範囲の指定の詳細については後述する。
【００３１】
表示手段１５は、医用画像やこれに関連する各種情報を表示するものである。
本実施形態では、表示手段１５は、表示制御部として機能する制御手段１１の制御に従い、再生範囲指定部である入力手段１３によって指定された再生範囲で動態撮影画像を再生し表示する。
また、本実施形態では、判断制御部として機能する制御手段１１が、画像取得部である入出力インターフェース１４により取得された医用画像に動態撮影画像が含まれると判断した場合には、表示制御部として機能する制御手段１１により、表示手段１５上に動態撮影画像を自動的に動画再生させるようになっている。
動画の再生・表示は、指定された範囲内でループして行われることが好ましい。
なお、ループして再生することは必須ではなく、指定範囲内の画像をすべて再生するとそこで再生を中止させてもよい。ループ再生するか否かを予めユーザーが設定できるようにしてもよい。
また、表示手段１５上において、動態撮影画像の再生が開始された後、ユーザーにより中断動作が行われた場合には、表示制御部としての制御手段１１は動態撮影画像の再生を中断するように制御する。中断動作としては、例えばユーザーが再生中の画像を選択するようにタッチしたり、タップする等の動作が挙げられるが、これに限定されない。例えば表示画面上に停止ボタン等が表示され、ユーザーがこれをタッチする等の動作であってもよい。また、どのような操作が行われたときに中断動作として動画再生を中断させるかを予め設定できるようにしてもよい。
【００３２】
表示手段１５は、例えばＣＲＴ（Cathode Ray Tube）やＬＣＤ（Liquid Crystal Display）等で構成された表示部であるモニター１５０を備えている。
本実施形態において表示手段１５は、複数のモニター１５０を備えており、このうち、少なくとも１つは、ユーザー（医師等）が読影を行うための高精細なモニターとなっている。
表示手段１５の具体的な構成としては、例えば、ユーザー（医師等）が読影対象の医用画像を選択するための患者情報や検査情報等のリスト画面が表示される通常のモニター１５０と読影を行うための高精細なモニター１５０とを備えてなる。なお、通常のモニター１５０、高精細なモニター１５０はそれぞれ１台ずつであってもよいし、複数台設けられていてもよい。
本実施形態において、少なくとも読影用の高精細なモニター１５０には、入力手段１３としてのタッチパネルが一体的に構成されている。これにより、ユーザーが指やタッチペン等でモニター１５０の表示画面をタッチ、タップ等する操作を行うと、これにより入力動作（タッチ等の操作）の位置に応じて所定の入力指示信号が発生し、制御手段１１に送られるようになっている。
【００３３】
図３は、本実施形態におけるモニター１５０の一例を示す図である。
図３では、医用画像等を表示させてユーザー（医師等）が読影を行う読影用の高精細なモニター１５０の例を示しており、特に、ユーザーが選択した患者の検査画像の中に動態撮影画像が含まれている場合に表示される表示画面例を示している。
図３に示すように、読影用のモニター１５０の表示画面のほぼ中央部は、フレーム画像ＦＩが表示される画像表示領域５１となっている。
また、画像表示領域５１の左右には、患者情報を表示する患者情報表示領域５２、画像表示領域５１に表示されるフレーム画像ＦＩに関する検査情報を表示する検査情報表示領域５３、画像表示領域５１に表示されるフレーム画像ＦＩや当該フレーム画像ＦＩを含むシリーズに関する情報を表示する画像情報表示領域５４等が設けられている。
【００３４】
図３では、表示画面の左上が患者ＩＤ、患者氏名、患者の生年月日や性別等の患者情報が表示される患者情報表示領域５２となっており、表示画面の右上が検査日時、画像を含むコンテンツが作成された日時等の検査情報が表示される検査情報表示領域５３となっている。また、表示画面の左下にフレーム画像ＦＩのフレーム番号や総フレーム数、フレーム画像ＦＩを含むシリーズ固有のＩＤであるシリーズ番号等が表示される画像情報表示領域５４となっている。
なお、モニター１５０の表示画面に設定される表示領域はここに例示したものに限定されない。また、各表示領域５１〜５４に表示される項目はここに例示したものに限定されない。さらに、各表示領域５１〜５４の配置等も図示例には限定されない。
表示画面における各表示領域５１〜５４の種類や配置、各表示領域５１〜５４に表示される項目等は、ユーザーが適宜設定変更してカスタマイズ可能となっていてもよい。
【００３５】
さらに、モニター１５０の表示画面の側端部等（本実施形態では右側端部）には、スクロールバー５５が、モニター１５０の表示画面の上下方向に沿って延在するように配されている。
スクロールバー５５には、画像表示領域５１に表示されたフレーム画像ＦＩと対応するカーソル５５１が配されており、スクロールバー５５をスクロール操作することで、スクロールバー５５上のカーソル５５１が移動すると、これに伴って、画像表示領域５１に表示される画像がカーソル５５１の位置に対応する画像に切り換わるようになっている。すなわち、カーソル５５１は、１つのシリーズの内、画像表示領域５１に表示されるフレーム画像ＦＩと対応している。
【００３６】
モニター１５０の表示画面に表示される医用画像が周期性を持つ対象部位の動態を時間軸に沿って連続的に放射線撮影して得られた動態撮影画像である場合、スクロールバー５５は、周期に対応して色分け表示されることが好ましい。
色分けは、複数色を用いたカラーによる色分けでもよいが、本実施形態では、スクロールバーにおける色分け表示を、単一色の濃淡又は明暗の少なくともいずれかによって表現している。これにより、モニター１５０がモノクロにしか対応していない場合でも適切に分かりやすく色分け表示を行うことができる。
【００３７】
本実施形態では、周期性を持つ対象部位が人の肺野であり、動態撮影画像が人の呼吸を示す動態を時間軸に沿って連続的に放射線撮影して得られたものである場合を例としている。
そして、本実施形態のスクロールバー５５は、吸気期間又は呼気期間からなる半呼吸分の期間ごとに色分け表示されている。
具体的には、スクロールバー５５は、複数のブロック５５２，５５３・・・に分けられ、各ブロック５５２，５５３は、交互に色分け（ここでは灰色と白色）されている。各ブロックは、例えば灰色のブロック５５２が吸気期間を表す画像に対応し、白色のブロック５５３が呼気期間を表す画像に対応しており、吸気期間を表すブロック５５２と呼気期間を表すブロック５５３との１セットで吸気期間及び呼気期間からなる１呼吸分の期間（図３等において期間β）に対応する。
【００３８】
通常１シリーズの検査画像には複数回の呼吸に対応する画像が含まれている。このため、スクロールバー５５には、複数のブロック５５２，５５３が交互に並び、全体として縞模様を呈している。
スクロールバー５５上のブロック５５２，５５３及びカーソル５５１により、ユーザーは、現在表示画面にシリーズ内の何枚目の画像（フレーム画像ＦＩ）が表示中であるかを、感覚的に認識することが可能となっている。
なお、スクロールバー５５における色分け表示はここに例示したものに限定されない。例えば、半呼吸分の期間を１ブロックとして色分け表示するのではなく、吸気期間及び呼気期間からなる１呼吸分の期間ごとに色分け表示してもよい。
なお、スクロールバー５５における色分け表示は、前記制御手段１１によって横隔膜の位置等から判定される吸気期間又は呼気期間からなる半呼吸分の期間や吸気期間及び呼気期間を１セットとした１呼吸分の期間に対応して行われる。
【００３９】
〔再生範囲の指定〕
再生範囲指定部としての入力手段１３は、表示手段１５に表示された画像自体を指定するもの、画像に対応するスクロールバー５５において指定するもの、画像に対応するグラフにおいて指定するもの、画像に対応する数値を入力又は選択するもの、のうち少なくともいずれかを含んでいる。
以下、各手法による動態撮影画像の再生範囲の指定について詳説する。
【００４０】
まず、再生範囲指定部としての入力手段１３が、表示手段１５に表示された画像自体を指定することで再生範囲を指定する場合には、例えば図４に示すように、表示画面上にポインター５５４を表示させ、これをマウス等の入力手段１３でフレーム画像ＦＩ上に移動させ、クリック等の選択動作を行う。
これにより、表示手段１５の画像表示領域５１に表示されているフレーム画像ＦＩを含む１周期分の画像が再生範囲として指定される。
例えば図４では、人の肺野を対象部位として、人の呼吸を示す動態を時間軸に沿って連続的に放射線撮影し、総フレーム数６５枚のフレーム画像ＦＩで構成される１つのシリーズの動態撮影画像が取得された場合に、当該シリーズのうち、フレーム番号１７のフレーム画像ＦＩが選択された場合を示している。
この場合、フレーム番号１７のフレーム画像ＦＩを含む１周期分の画像、すなわち吸気期間及び呼気期間からなる１呼吸分の期間βに対応する画像が再生範囲として指定される。
なお、１つのフレーム画像ＦＩが選択された際に、指定される再生範囲は、１呼吸分の期間βに対応する画像に限定されず、例えば選択されたフレーム画像ＦＩを含む半呼吸分の期間に対応する画像であってもよい。１つのフレーム画像ＦＩが選択された際にいかなる範囲を再生範囲とするかは、ユーザーが設定できるようにしてもよい。
つまり動態撮影画像の再生範囲とは、連続フレーム画像全体から、特定の範囲のフレームを抜き出した範囲のことである。例えば全部で１００フレームあったとしたら、２０番目のフレームから−４０番目のフレームの間の連続的なフレーム等である。なお、動態撮影画像の再生範囲は、原則連続的なフレームであるが、規則的にフレームを間引くことも可能である。これは上記の例でいれば、２０，２１，２２，２３・・・と４０番目のフレームまでを再生範囲としているが、このうち１フレームごとに間引いて再生範囲とする（２０、２２，２４，２６・・・４０）ことも可能である。
【００４１】
また、再生範囲指定部としての入力手段１３が、画像に対応するスクロールバー５５において再生範囲を指定する場合には、例えば図５に示すように、表示画面上にポインター５５４を表示させ、これをマウス等の入力手段１３でスクロールバー５５上の任意の位置に移動させ、クリック等の選択動作を行う。
これにより、表示手段１５の画像表示領域５１に表示されているフレーム画像ＦＩにかかわりなく、スクロールバー５５上の選択された位置を含む１周期分の範囲、すなわちブロック５５２，５５３の１セットからなる１呼吸分の期間βに対応する画像が再生範囲として指定される。
なお、この場合に指定される再生範囲が、１呼吸分の期間βに対応する画像に限定されないことは上記と同様である。
【００４２】
さらに、本実施形態の表示手段１５には、図６に示すように、画像に対応するグラフを表示させることができる。図６においてグラフは、ｘ軸に１つのシリーズを構成するフレーム画像ＦＩのフレーム数（０〜ｎ）をとり、ｙ軸に横隔膜の高さ（位置）αをとったものである。
再生範囲指定部としての入力手段１３は、図６に示すようなグラフにおいて再生範囲を指定してもよい。
この場合、例えば図６に示すように、表示手段１５に表示されたグラフ上にポインター５５４を表示させ、これをマウス等の入力手段１３でグラフ上の任意の位置に移動させ、クリック等の選択動作を行う。
これにより、表示手段１５の画像表示領域５１に表示されているフレーム画像ＦＩにかかわりなく、グラフ上の選択された位置を含む１周期分の範囲、すなわち上下動する横隔膜の高さαの１つのピークｐ１から次のピークｐ２までの１呼吸分の期間βに対応する画像が再生範囲として指定される。
【００４３】
また、再生範囲指定部である入力手段１３は、１つのシリーズを構成するフレーム画像ＦＩのうちいずれかのフレーム画像ＦＩのフレーム番号等を、キーボード等を用いて入力するものでもよい。
これにより、当該表示手段１５の画像表示領域５１に表示されているフレーム画像ＦＩにかかわりなく、入力されたフレーム番号のフレーム画像ＦＩを含む１周期分の範囲、すなわちフレーム番号１７が入力された場合には１７番のフレーム画像ＦＩを含む１呼吸分の期間βに対応する画像が再生範囲として指定される。
なお、これらの場合にも、指定される再生範囲が１呼吸分の期間βに対応する画像に限定されず適宜設定可能となっていてもよいことは上記と同様である。
【００４４】
なお、再生範囲指定部である入力手段１３による再生範囲の指定は上記のように１点（または１つのフレーム画像ＦＩ）を選択することにより行われる場合に限定されない。
例えば、図７及び図８に示すように、フレーム番号１４の画像（図７参照）と、フレーム番号２７の画像（図８参照）とを入力手段１３を操作することでユーザーが選択すると、１呼吸分の期間βの範囲にかかわりなく、フレーム番号１４の画像からフレーム番号２７の画像までが再生範囲として指定される。
【００４５】
また、図７及び図８に示すように、再生範囲指定部としての入力手段１３により、画像に対応するスクロールバー５５においてカーソル５５１の位置を２箇所指定した場合も、１呼吸分の期間βの範囲にかかわりなく、カーソル５５１の位置が指定された２箇所の間に対応する画像が再生範囲として指定される。
例えば図７及び図８の場合、１呼吸分の期間βのうち、ブロック５５２に対応する半呼吸分の期間の画像が再生範囲となる。
【００４６】
また、表示手段１５に、画像に対応するグラフを表示させ、図９に示すように、再生範囲指定部としての入力手段１３が、グラフ上の２点（図９では、点ｐｓ，ｐｅ）を指定することで再生範囲を指定してもよい。
この場合、１呼吸分の期間βとは異なる点ｐｓ，ｐｅ間の期間γに対応する画像が再生範囲として指定される。
【００４７】
さらに、図１０に示すように、表示手段１５には数値入力部５６１及び決定ボタン５６２を有するフレーム番号の入力画面が表示されてもよい。
この場合、ユーザーが入力手段１３としてのキーボード等を用いてフレーム画像ＦＩのフレーム番号を数値入力部５６１に入力し、決定ボタン５６２を操作して再生範囲を指定してもよい。
図１０では、再生範囲の開始位置を入力する数値入力部５６１にフレーム番号１４を入力し、再生範囲の終了位置を入力する数値入力部５６１にフレーム番号４０を入力した場合を例示している。
これにより、１呼吸分の期間βとはかかわりなく、フレーム番号１４〜４０のフレーム画像ＦＩが再生範囲として指定される。
なお、表示手段１５に表示される入力画面のレイアウト、表示項目等は図示例に限定されない。
【００４８】
１呼吸分の期間β等の１周期の期間は、制御手段１１がフレーム画像ＦＩに対して画像解析等を行うことで、割り出されたものである。このため、必ずしも正しいとは限らず、数フレーム分ずれて認識される場合もありうる。
また、１呼吸分の期間β等の周期に関わらず、読影を行うユーザー（医師等）が特に詳細に観察したい画像の範囲がある場合もありうる。
このような場合には、ユーザー（医師等）により指定された範囲で動画再生を行うことで、より正確な読影、診断を実現することが可能となる。
【００４９】
［画像表示装置の作用、画像表示方法について］
次に、図１１及び図１２を参照しつつ、本実施形態における画像表示方法について説明する。
画像表示装置１においてユーザー（医師等）が読影を行いたい場合、まず、画像表示装置１の表示手段１５に検査一覧画面等を表示させる。
そして、ユーザー（医師等）が読影を行いたい検査等を表示画面上等において指定することにより、図１１に示すように、読影を行いたい所望の検査が選択される（ステップＳ１）。
検査が選択されると、画像表示装置１から画像管理サーバー３に対して画像取得要求が送信され、画像管理サーバー３は、要求された検査の画像データを医用画像ＤＢ３１から抽出し、通信ネットワークＮを介して画像表示装置１に送信する。
画像表示装置１側では、画像取得部である入出力インターフェース１４を介して医用画像のデータ及びこれに付帯する付帯情報を取得する（ステップＳ２）。
医用画像が取得されると、判断制御部としての制御手段１１において、当該取得された医用画像の中に動態撮影画像が含まれるか否かを判断する（ステップＳ３）。そして、医用画像が含まれないと判断された場合（ステップＳ３；ＮＯ）には、表示制御部としての制御手段１１が、取得された医用画像をそのまま表示手段１５のモニター（読影用の高精細モニター）１５０に表示させる（ステップＳ４）。
他方、判断制御部としての制御手段１１において、当該取得した医用画像の中に動態撮影画像が含まれると判断された場合（ステップＳ３；ＹＥＳ）には、表示制御部としての制御手段１１は、動態撮影画像を表示手段１５において自動的に動画再生し、当該動画をモニター（読影用の高精細モニター）１５０に表示させる（ステップＳ５）。
【００５０】
動画再生する範囲を絞り込む場合には、図１２に示すように、表示手段１５のモニター１５０に一体的に形成されたタッチパネルやキーボード等からなる入力手段１３（再生範囲指定部）において、ユーザー（医師等）による再生範囲の指定を受け付ける（ステップＳ１１）。
再生範囲の指定が入力されると、制御手段１１は、それが再生範囲を１点で指定するものか否かを判断する（ステップＳ１２）。
再生範囲を１点で指定するものである場合（ステップＳ１２；ＹＥＳ）には、制御手段１１は、指定された画像を含む１呼吸分の期間（図３等において期間β）に対応する動態撮影画像の最初のフレーム画像ＦＩと最後のフレーム画像ＦＩとを特定する（ステップＳ１３）。
そして、制御手段１１は、特定された最初のフレーム画像ＦＩと最後のフレーム画像ＦＩとの間を再生範囲とする絞り込みを行い（ステップＳ１４）、まず、最初のフレーム画像ＦＩを表示手段１５の表示画面（画像表示領域５１）に表示させる（ステップＳ１５）。
【００５１】
動態撮影画像の再生表示（動画再生）が行われている間、制御手段１１は、表示されているフレーム画像ＦＩが最後のフレーム画像ＦＩ未満か否かを判断する（ステップＳ１６）。例えば、フレーム番号１４のフレーム画像ＦＩからフレーム番号２７のフレーム画像ＦＩが再生範囲として設定された場合、表示されているフレーム画像ＦＩが２７番目に到達していないか否かを判断する。
表示されているフレーム画像ＦＩが最後のフレーム画像ＦＩである場合（例えば上記の例でフレーム番号２７のフレーム画像ＦＩが再生されている場合。ステップＳ１６；ＮＯ）には、ステップＳ１５に戻って、再び、最初のフレーム画像ＦＩ（上記の例ではフレーム番号１４のフレーム画像ＦＩ）から再生させる（ループ再生）。
なお、再生範囲として設定されている最後のフレーム画像ＦＩ（上記の例ではフレーム番号２７のフレーム画像ＦＩ）まで再生されたときにはループせずに再生を終了するようにしてもよい。
他方、表示されているフレーム画像ＦＩが最後のフレーム画像ＦＩでない場合（例えばフレーム番号１８のフレーム画像ＦＩが再生されている場合。ステップＳ１６；ＹＥＳ）には、次のフレーム画像ＦＩ（例えばフレーム番号１９のフレーム画像ＦＩ）を表示させる（ステップＳ１７）。
動画再生中、制御手段１１は、ユーザーによる中断動作が行われたか否かを判断し（ステップＳ１８）、中断動作が行われていない場合（ステップＳ１８；ＮＯ）には、ステップＳ１６に戻って処理を繰り返す。
他方、中断動作が行われた場合（ステップＳ１８；ＹＥＳ）には、画像表示装置１による動画再生処理を終了する。
【００５２】
また、再生範囲を１点で指定するものでない場合（ステップＳ１２；ＮＯ）、すなわち、ユーザーが入力手段１３によって２点で再生範囲を指定した場合には、制御手段１１は、指定された範囲の動態撮影画像の最初のフレーム画像ＦＩと最後のフレーム画像ＦＩを特定する（ステップＳ１９）。そして、特定された最初のフレーム画像ＦＩと最後のフレーム画像ＦＩとの間を再生範囲とする絞り込みを行い（ステップＳ１４）、まず、最初のフレーム画像ＦＩを表示手段１５の表示画面（画像表示領域５１）に表示させる（ステップＳ１５）。なお、以降の処理は再生範囲を１点で指定した場合と同様であるので説明を省略する。
【００５３】
［効果］
以上のように、本実施形態に係る画像表示装置１は、画像取得部である入出力インターフェース１４を介して放射線撮影により得られた医用画像を取得し、判断制御部としての制御手段１１において当該医用画像に対象部位の動態を時間軸に沿って連続的に放射線撮影して得られた動態撮影画像が含まれるか否かを判断し、判断制御部である制御手段１１によって動態撮影画像が含まれると判断された場合に、表示制御部としての制御手段１１が、表示部である表示手段１５のモニター１５０において動態撮影画像を自動的に動画再生させる。
これにより、動態撮影画像が取得されたときにはモニター１５０の表示画面において自動的に動画再生が開始され、ユーザー（医師等）の手間を要せず、迅速に読影を開始することができ、操作性に優れている。
【００５４】
また、本実施形態では、対象部位の動態を時間軸に沿って連続的に放射線撮影して得られた動態撮影画像が画像取得部である入出力インターフェース１４を介して取得されると、再生範囲指定部である入力手段１３によって動態撮影画像について再生範囲を指定し、指定された再生範囲で表示部である表示手段１５のモニター１５０において動態撮影画像を再生し表示させる。
ユーザー（医師等）は、動態撮影画像を動画再生することで、対象部位の状態を確認することができる。例えば、対象部位が肺や心臓である場合、動態撮影した各フレーム画像ＦＩで構成される動画像をモニター１５０で確認することにより、肺や心臓が動いている様子を観察し、肺の機能（換気機能や肺血流機能等）が低下している個所や心臓の心拍が異常な個所がないか等を適切に診断することができる。
この場合に本実施形態では再生範囲を絞り込むことができるため、動態撮影画像が膨大な枚数のフレーム画像ＦＩからなる場合にも、ユーザー（医師等）が診断に必要と判断する範囲に絞って動画再生を行うことができ、迅速かつ効率的に、適切な読影・診断を行うことができる。
【００５５】
また、本実施形態では、画像取得部である入出力インターフェース１４が放射線撮影により得られた医用画像を広く取得する場合に、取得された医用画像に動態撮影画像が含まれるか否かを判断制御部である制御手段１１が判断し、制御手段１１によって動態撮影画像が含まれると判断された場合に、当該動態撮影画像について再生範囲指定部である入力手段１３による再生範囲の指定が可能となっている。
このため、動態撮影画像とそれ以外の画像とが混在する医用画像を広く取得した場合にも、対象部位の動態を撮影した動態撮影画像について適切に動画再生することができ、迅速な読影を行うことができる。
【００５６】
また、本実施形態において、動態撮影画像は、周期性を持つ対象部位の動態を時間軸に沿って連続的に放射線撮影して得られたものである。
このため、呼吸を繰り返す肺野の動きや拍動を繰り返す心臓の動きをとらえた画像について適切に読影を行うことができる。
【００５７】
また、本実施形態において、再生範囲指定部である入力手段１３は、表示部であるモニター１５０に表示された画像自体を指定するもの、画像に対応するスクロールバー５５において指定するもの、画像に対応するグラフにおいて指定するもの、画像に対応する数値を入力又は選択するもの、のうちのいずれかを含んでいる。
これにより、ユーザー（医師等）のニーズに適した指定の仕方を選択することができ、操作性に優れ、容易かつ適切に再生範囲の指定を行い、診断に必要な画像の読影を行うことができる。
【００５８】
また、本実施形態において、表示制御部としての制御手段１１は、表示部であるモニター１５０において動態撮影画像の再生が開始された後、中断動作が行われた場合に、動態撮影画像の再生を中断させる。
このため、読影中に気になった画像があった場合等に動画再生を止めて画像を精密に観察し、適切な読影を行うことができる。
【００５９】
また、本実施形態において、対象部位は横隔膜を含む人の肺野であり、この場合に再生範囲指定部である入力手段１３は、吸気期間及び呼気期間からなる人の１呼吸分の期間に対応する動態撮影画像を再生範囲として指定する。
これにより、肺野の動きを１呼吸分単位で観察し、精密な読影を行うことができる。このため、肺機能の低下の有無や治療後の状態等を正確に診断することが可能となる。
【００６０】
また、本実施形態において、対象部位は横隔膜を含む人の肺野であり、この場合に再生範囲指定部である入力手段１３は、吸気期間又は呼気期間からなる人の半呼吸分の期間に対応する動態撮影画像を再生範囲として指定する。
これにより、肺野の動きを半呼吸分の短い単位で観察することができ、より迅速な読影を行うことができる。
【００６１】
また、本実施形態において、表示部であるモニター１５０が画像に対応するスクロールバー５５を備える場合に、動態撮影画像が周期性を持つ対象部位の動態を時間軸に沿って連続的に放射線撮影して得られたものである場合には、スクロールバー５５が周期に対応して色分け表示される。
これにより、ユーザー（医師等）は、スクロールバー５５を見るだけでモニター１５０に表示されている画像の位置付けを直感的に把握することができ、迅速かつ効率的に読影を行うことができる。
【００６２】
また、表示部であるモニター１５０が画像に対応するスクロールバー５５を備える場合に、動態撮影画像が人の呼吸を示す動態を時間軸に沿って連続的に放射線撮影して得られたものである場合には、スクロールバー５５が吸気期間及び呼気期間からなる１呼吸分の期間ごとに色分け表示されるとしてもよい。
この場合には、ユーザー（医師等）は、スクロールバー５５を見るだけでモニター１５０に表示されている画像が１呼吸分のサイクルのどのあたりに位置づけられるものか等の位置付けを直感的に把握することができ、迅速かつ効率的に読影を行うことができる。
【００６３】
また、表示部であるモニター１５０が画像に対応するスクロールバー５５を備える場合に、動態撮影画像が人の呼吸を示す動態を時間軸に沿って連続的に放射線撮影して得られたものである場合には、スクロールバー５５が吸気期間又は呼気期間からなる半呼吸分の期間ごとに色分け表示されるとしてもよい。
この場合には、ユーザー（医師等）は、スクロールバー５５を見るだけでモニター１５０に表示されている画像が半呼吸分のサイクルのどのあたりに位置づけられるものか等の位置付けを直感的に把握することができ、迅速かつ効率的に読影を行うことができる。
【００６４】
また、スクロールバーにおける色分け表示は、単一色の濃淡又は明暗の少なくともいずれかで表現されるようにしてもよい。
このようにすることで、表示部がカラー画像に対応せずモノクロ表示しかできないモニター１５０である場合にも適切にわかりやすく色分け表示を行うことができる。
【００６５】
［変形例］
なお、本発明が上記の実施形態に限定されず、本発明の趣旨を逸脱しない限り、適宜変更可能であることは言うまでもない。
【００６６】
例えば、本実施形態では、画像管理サーバー３が、ハードディスク等により構成される医用画像ＤＢ３１を有し、この医用画像ＤＢ３１に医用画像のデータや当該医用画像の付帯情報が蓄積されている場合を例示したが、画像管理サーバー及び医用画像ＤＢは医用画像撮影装置２によって取得された医用画像を蓄積・管理できるものであればよく、ここに例示した構成に限定されない。
例えば、近年、クラウドサーバーの普及に伴い、すべてのデータが医療施設外部のデータセンターで蓄積・管理され、医療施設側には直近のデータのみが保存されているという状況もあり得る。この場合には、ユーザーの操作に応じて医用画像の取得要求を行う送信元施設の画像表示装置１が、画像を蓄積・管理する図示しない保管サーバー（クラウドサーバー）に直接アクセスし、医療連携の対象とする医用画像を選択して、画像データを取得してもよい。
【００６７】
また、本実施形態では、表示部であるモニター１５０が画像に対応するスクロールバー５５を備える場合に、スクロールバー５５が人の１呼吸分等の周期に対応して色分け表示される場合を例示したが、スクロールバー５５における色分け表示は周期に対応したものに限定されない。
例えば、スクロールバー５５は動態撮影画像の再生位置に対応して色分け表示されてもよい。
この場合には、ユーザーがスクロールバーを見るだけで、現在モニター１５０において再生されている画像が複数枚のフレーム画像ＦＩからなる動態撮影画像のうちの何枚目あたりの画像であるかを直感的に把握することができ、確認したい画像を容易に絞り込み等することができる。
【符号の説明】
【００６８】
１      画像表示装置
２      医用画像撮影装置
３      画像管理サーバー
１１    制御手段
１３    入力手段（再生範囲指定部）
１４    入出力インターフェース（画像取得部）
１５    表示手段
３１    医用画像ＤＢ
１００  医用画像システム
１５０  モニター
ＦＩ    フレーム画像
【図１】
2020089611.tif 000003
【図２】
2020089611.tif 000004
【図３】
2020089611.tif 000005
【図４】
2020089611.tif 000006
【図５】
2020089611.tif 000007
【図６】
2020089611.tif 000008
【図７】
2020089611.tif 000009
【図８】
2020089611.tif 000010
【図９】
2020089611.tif 000011
【図１０】
2020089611.tif 000012
【図１１】
2020089611.tif 000013
【図１２】
2020089611.tif 000014